【事件の表示】
　特願２０１８−５６１１７４「操作部構造およびこれを備えた電子機器」拒絶査定不服審判事件〔平成３０年　７月１９日国際公開、ＷＯ２０１８／１３１１３７、請求項の数（９）〕について、次のとおり審決する。
【結　論】
　原査定を取り消す。
　本願の発明は、特許すべきものとする。
【理　由】
第１　手続の経緯
　本願は、２０１７年（平成２９年）１月１３日を国際出願日とする出願であって、その手続の経緯は以下のとおりである。
　令和元年１０月１８日付け：拒絶理由通知書
　令和元年１２月２５日　　：意見書、手続補正書の提出
　令和２年　４月２０日付け：拒絶理由(最後の拒絶理由）通知書
　令和２年　６月１２日　　：意見書の提出
　令和２年　９月１６日付け：拒絶査定（以下、「原査定」という。）
　令和２年１１月　６日　　：審判請求書、手続補正書の提出
　令和３年　１月　７日　　：上申書の提出
第２　原査定の概要
　原査定の概要は以下のとおりである。
（進歩性）この出願の請求項１〜９に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
引用文献１：米国特許出願公開第２０１６／０１６１１０５号明細書
引用文献２：特開２０１２−２４８４８８号公報
引用文献３：特開２０１３−１７５３３３号公報
引用文献４：特開２０１５−１３３２７３号公報
引用文献５：実願平５−６５９２７号（実開平７−３０４２６号）のＣＤ−　　　　　　ＲＯＭ
第３　審判請求時の補正
１．令和２年１１月６日に審判請求と同時にした手続補正（以下、「本件補正」という。）について
　本件補正により、特許請求の範囲の記載は、次のとおり補正された（下線部は、補正箇所である。）。
【請求項１】
　操作パネルの開口部から表側が外部に露出された
、透光性または半透光性を有する
　前記意匠部材の裏側に組み付けられて前記操作パネルの内部に配置され、前記意匠部材に対する操作に応じて動作する透光性の操作部材と、
　前記操作パネルの内部に設けられた光源と、
　前記操作部材と一体に設けられ、前記光源から前記意匠部材の裏側までの光路上に配置されたレンズ部と
　を備え、
　前記操作部材の内周面は、前記レンズ部から前記意匠部材に向けて広がりながら前記意匠部材の裏側面に至るテーパ面であり、前記意匠部材の裏側面で反射されて戻ってきた光を、前記意匠部材の裏側面へ反射するように設けられていることを特徴とする操作部構造。
【請求項２】
　前記意匠部材は、釦部であり、
　前記操作部材は、前記釦部が押し込まれると押し込み方向に摺動して前記操作パネルの内部に設けられたスイッチを押す部材であること
　を特徴とする請求項１記載の操作部構造。
【請求項３】
　前記レンズ部は、前記意匠部材および前記光源のうちの少なくとも一方側に設けられた凹形状または凸形状であること
　を特徴とする請求項１記載の操作部構造。
【請求項４】
　前記意匠部材に設けられた第１の係合部と、
　前記操作部材に設けられた第２の係合部とを備え、
　前記意匠部材と前記操作部材とは、前記第１の係合部と前記第２の係合部とが係合して組み付けられること
　を特徴とする請求項１記載の操作部構造。
【請求項５】
　前記操作パネルの内部に設けられて、前記操作パネルの開口部と前記意匠部材との隙間へ向かう光を遮断する第１の遮光用リブを備えたこと
　を特徴とする請求項１記載の操作部構造。
【請求項６】
　前記意匠部材から張り出して側面に沿って延びた突出部と、
　前記操作パネルの内部に設けられて、前記操作部材から前記突出部までの間を通る光を遮断する第２の遮光用リブとを備えたこと
　を特徴とする請求項１記載の操作部構造。
【請求項７】
　前記操作部材は、透光性の樹脂からなる前記レンズ部と、非透光性の樹脂からなる前記レンズ部以外の部分とが２色成型された部材であること
　を特徴とする請求項１記載の操作部構造。
【請求項８】
　前記操作部材は、前記レンズ部以外の部分に非透光性のマスキングを施した部材であること
　を特徴とする請求項１記載の操作部構造。
【請求項９】
　請求項１記載の操作部構造を備えた電子機器。
２．本件補正前の特許請求の範囲
　本件補正前の特許請求の範囲の記載は、令和元年１２月２５日に手続補正した特許請求の範囲の記載によって特定される次のとおりである。
【請求項１】
　操作パネルの開口部から表側が外部に露出された意匠部材と、
　前記意匠部材の裏側に組み付けられて前記操作パネルの内部に配置され、前記意匠部材に対する操作に応じて動作する透光性の操作部材と、
　前記操作パネルの内部に設けられた光源と、
　前記操作部材と一体に設けられ、前記光源から前記意匠部材の裏側までの光路上に配置されたレンズ部と
　を備え、
　前記操作部材の内周面は、前記レンズ部から前記意匠部材に向けて広がりながら前記意匠部材の裏側面に至るテーパ面であり、前記意匠部材の裏側面で反射されて戻ってきた光を、前記意匠部材の裏側面へ反射するように設けられていることを特徴とする操作部構造。
【請求項２】
　前記意匠部材は、釦部であり、
　前記操作部材は、前記釦部が押し込まれると押し込み方向に摺動して前記操作パネルの内部に設けられたスイッチを押す部材であること
　を特徴とする請求項１記載の操作部構造。
【請求項３】
　前記レンズ部は、前記意匠部材および前記光源のうちの少なくとも一方側に設けられた凹形状または凸形状であること
　を特徴とする請求項１記載の操作部構造。
【請求項４】
　前記意匠部材に設けられた第１の係合部と、
　前記操作部材に設けられた第２の係合部とを備え、
　前記意匠部材と前記操作部材とは、前記第１の係合部と前記第２の係合部とが係合して組み付けられること
　を特徴とする請求項１記載の操作部構造。
【請求項５】
　前記操作パネルの内部に設けられて、前記操作パネルの開口部と前記意匠部材との隙間へ向かう光を遮断する第１の遮光用リブを備えたこと
　を特徴とする請求項１記載の操作部構造。
【請求項６】
　前記意匠部材から張り出して側面に沿って延びた突出部と、
　前記操作パネルの内部に設けられて、前記操作部材から前記突出部までの間を通る光を遮断する第２の遮光用リブとを備えたこと
　を特徴とする請求項１記載の操作部構造。
【請求項７】
　前記操作部材は、透光性の樹脂からなる前記レンズ部と、非透光性の樹脂からなる前記レンズ部以外の部分とが２色成型された部材であること
　を特徴とする請求項１記載の操作部構造。
【請求項８】
　前記操作部材は、前記レンズ部以外の部分に非透光性のマスキングを施した部材であること
　を特徴とする請求項１記載の操作部構造。
【請求項９】
　請求項１記載の操作部構造を備えた電子機器。
３．本件補正の適否
　本件補正は、請求項１の「意匠部材」について、「透光性または半透光性を有する」との発明特定事項を追加するものである。
　本件補正で追加された事項は、願書に最初に添付した明細書（以下、「当初明細書」という。）の段落【００１４】に記載されているから、本件補正は、当初明細書等に記載された事項の範囲内においてするものであって、特許法第１７条の２第３項に規定する要件を満たすものである。
　また、本件補正は、補正前の請求項１に記載された発明を特定するために必要な事項である「意匠部材」について、上記のとおり限定を付加するものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そして、補正前の請求項１〜９は、請求項２〜９が、補正の対象である請求項１の記載を引用する関係にあるから、本件補正後の請求項１〜９に係る発明は、特許法第１７条の２第４項に規定する一群の発明に該当する。
　上記のとおりであるから、本件補正は、特許法第１７条の２第３項〜第５項に規定する要件を満たすものである。
　そして、補正後の請求項１〜９に係る発明は、同法同条第６項で準用する同法第１２６条第７項の規定により、特許出願の際独立して特許を受けることができるものでなければならないので、以下、検討する。
４．独立特許要件について
（１）本願発明１〜９について
　本願の請求項１〜９に係る発明（以下、「本願発明１」〜「本願発明９」という。）は、令和２年１１月６日の手続補正により補正された特許請求の範囲の請求項１〜９に記載された事項により特定される、上記第３の１．のとおりである。
（２）引用文献に記載された事項及び引用発明
ア　引用文献１に記載された事項及び引用発明について
　原査定の拒絶の理由に引用された引用文献１には、図面とともに以下の事項が記載されている（下線は当審において付与した。以下同様。）。
（ア）「[0002] 
The present invention generally relates to an operating button, especially to an operating button with a light source.
（当審訳）「［０００２］
本発明は、一般的には、操作ボタン、特に光源と操作ボタンに関するものである。
（イ）「[0003] An operating button can output light rays to the outside of the operating button via a light source provided therein, so as to identify the state of the operating button or a device. 
Because of the limitation of the volume and structure of the operating button, when in operation, the output light rays of the operating button have a long light path such that the brightness of the output light rays is insufficient. In addition, the light rays output by the operating button are not in parallel such that the light rays irradiated thereby are not even and have light spots.
（当審訳）「［０００３］操作ボタンは、その内部に光源が設けられた操作ボタンの外部に光を出力することができ、操作ボタンや装置の状態を識別するようにする。
操作ボタンの大きさ及び構造の制限のために、操作中に、操作ボタンの出力光線は長い光経路を有する出力光線の明るさが不足するようになっている。また、操作ボタンから出力される光線は平行にされず、それにより照射された光は一様ではなく、光スポットを有するようなものである。
（ウ）「[0004] An embodiment of the present invention provides an operating button for improving the brightness of the light rays output by the operating button.」
（当審訳）「［０００４］本発明の実施形態は、操作ボタンによって出力される光の輝度を向上させるための操作ボタンを提供する。」
（エ）「[0022] FIG. 2 is a sectional view along the line II-II in FIG. 1 and shows the assembled operating button. Referring to FIGS. 1 and 2, 
the operating button comprises a light source 10, a push rod 20 and an operating head 30.
[0023] 
The light source 10 can output light rays. The light rays output by the light source 10 pass through the push rod 20 and the operating head 30 successively and are irradiated from the operating head 30.
[0024] The push rod 20 is of a hollow structure such that the light rays emitted from the light source 10 can pass through the push rod 20. 
The push rod 20 has a diverging lens 22, and the light rays emitted from the light source 10 pass through the diverging lens 22 when propagating in the push rod.
[0025] 
The operating head 30 has a condensing lens 32, and the light rays passed through the diverging lens 22 illuminate towards the outside of the operating button after passing through the condensing lens 32.
（当審訳）「［００２２］図２は、図１のII-II線に沿った断面図であり、組み立てられた作動ボタンを示している。図１及び図２を参照して、
操作ボタンは、光源１０と、プッシュロッド２０および操作ヘッド３０を備えている。
［００２３］
光源１０は、光線を出力することができる。光源１０から出力された光線は、プッシュロッド２０および操作ヘッド３０を連続的に通過し、操作ヘッド３０から照射される。
［００２４］プッシュロッド２０は、光源１０からの光線はプッシュロッド２０を介して通過することができるように中空構造になっている。
プッシュロッド２０は、発散レンズ２２を備え、この光源１０から出射された光は、ロッド内を伝播する場合、発散レンズ２２を通過する。
［００２５］
操作ヘッド３０は、集光レンズ３２を備え、発散レンズ２２を通過した光束は、集光レンズ３２を通過した後、操作ボタンの外側に向かって照射する。
（オ）「[0028] 
In one illustrative embodiment of the operating button, the condensing lens and the operating head are integrally formed, for example, the two may be plastic components and are integrally formed by means of an injection molding process. The diverging lens and the push rod may also be integrally formed, for example formed by plastic injection-molding.
（当審訳）「［００２８］
操作ボタンの１つの例示的な実施形態では、集光レンズと、操作ヘッドは、一体的成形されており、例えば、２つはプラスチック部品であってもよく、射出成形法によって一体的に形成されている。発散レンズとプッシュロッドもまた、プラスチック射出成形によって形成され、一体的に形成されてもよい。
（カ）「ＦＩＧ．６
」
（キ）摘記事項（エ）に示すとおり、「操作ヘッド３０は、集光レンズ３２を備え、発散レンズ２２を通過した光束は、集光レンズ３２を通過した後、作動ボタンの外側に向かって照射する。」ものであるから、「操作ヘッド３０」は、透光性または半透光性を有するものと認められる。
（ク）摘記事項（エ）に示すとおり、「プッシュロッド２０は、発散レンズ２２を備え、この光源１０から出射された光は、ロッド内を伝播する場合、発散レンズ２２を通過する。」ものであり、摘記事項（オ）に示すとおり、「発散レンズとプッシュロッドもまた、プラスチック射出成形によって形成され、一体的に形成されてもよい。」ものであるから、「プッシュロッド２０」は、透光性を有するものと認められる。
（ケ）摘記事項（カ）のＦＩＧ．６より、プッシュロッド２０の内周面は、発散レンズ２２から操作ヘッド３０に向けて広がるテーパ面を有することが看取できる。
　摘記事項（ア）〜（カ）並びに認定事項（キ）〜（ケ）から、上記引用文献１には次の発明（以下、「引用発明」という。）が記載されていると認められる。
「透光性または半透光性を有する操作ヘッド３０と、
　操作ヘッド３０と組み立てられた透光性を有するプッシュロッド２０と、
　光源１０と、
　プッシュロッド２０と一体的に形成され、光源１０から出射された光が通過する発散レンズ２２と
　を備え、
　プッシュロッド２０の内周面は、発散レンズ２２から操作ヘッド３０に向けて広がるテーパ面を有する操作ボタン。」
イ　引用文献２に記載された事項
　原査定の拒絶の理由に引用された上記引用文献２には、図面とともに以下の事項が記載されている。
（ア）「【０００１】
　本発明は、照光式押ボタンスイッチに関するものである。」
（イ）「【０００７】
　そこで本発明は、上記状況に鑑みて、ボタンの照光面をムラなく均一に照光するとともにスポット照光を改善することができる照光式押ボタンスイッチを提供することを目的とする。」
（ウ）「【００１４】
　
これらの図において、１はボタン、２は凹レンズ、３はプランジャ、４はスイッチ本体、５はスペーサ、６は丸ナットである。
プランジャ３は、角形状の枠体の内側面から中央部に向かってすり鉢状の傾斜面３ａが形成され、中央部に貫通孔３ｂが形成され、枠体の対向する１対の外側面に嵌合孔１ｂと嵌合する嵌合凸部３ｃが形成され、貫通孔３ｂの下方に垂下する１対の嵌合爪３ｄが形成されている。スイッチ本体４は、内部に発光素子４ａと接触機構部（図示なし）が配設され
【００１５】
　ボタン１底部に凹レンズ２が配置され、ボタン１の嵌合孔１ｂにプランジャ３の嵌合凸部３ｃが嵌合される。このとき、凹レンズ２の凹面部２ａはプランジャ３側に配置され、ボタン１とプランジャ３の嵌合によって凹レンズ２が挟持される。そして、プランジャ３の嵌合爪３ｄをスイッチ本体４の嵌合部（図示なし）に嵌合し、スペーサ５をスイッチ本体４の下方から配設し、丸ナット６をスイッチ本体４に螺合することで、照光式押ボタンスイッチが完成される。
スイッチ本体４は、鍔部４ｂとスペーサ５とでパネル（図示なし）を挟持することでパネルに固定される。
【００１６】
　
以上のように構成された本発明の照光式押ボタンスイッチは、発光素子４ａからの光が直接またはプランジャ３の傾斜面３ａによって反射されて凹レンズ２の凹面部２ａに投光され、凹面部２ａで屈折された光はボタン１の照光面１ａに投光される。また、照光面１ａよりも外側に屈折された光はプランジャ３の傾斜面３ａによって反射されて照光面１ａに投光される。よって、発光素子４ａからの光は照光面１ａのほぼ全域に投光されるため、ムラなく均一な照光ができる。
ウ　引用文献６に記載された事項
　当審が新たに引用する文献である実願昭６１−１００５６６号（実開昭６３−６６３０号）のマイクロフィルム（以下、「引用文献６」という。）には、図面とともに次の事項が記載されている。
（ア）「この考案はこのような従来の欠点にかんがみ、簡単な構成をもつて押ボタンの自由位置における反射効率を向上させるとともに、そのロツク位置における光むらを解消し、
安定した照光効果を得る
（イ）「すなわち第１図においてハウジング１は角筒状に形成され、その一端には内蔵スイツチ２が固定され、またその他端にはキヤツプ状の押ボタン３がそのハウジングの軸心線に沿つて往復動可能に嵌合されている。」（明細書第５ページ第１１行〜第１５行）
（ウ）「さらにハウジング１内にはベース６が収容され、かつこのベースには発光ダイオード７がハウジング１の軸心線上に取付けられている。
押ボタン３の内側には透光性を有するカラープレート８が収容され、かつ押ボタン３にはラツパ状の反射壁１１がカラープレート８の周縁部と衝合するように嵌合される。
（エ）「また反射壁１１は押ボタン３とともに往復駆動され、かつ発光ダイオード７からの光をカラープレート８すなわち押ボタン３側に反射する。したがつてこの反射壁は押ボタン３側に向つてしだいに広がるように摺り鉢状に形成されている。そして発光ダイオード７はその反射壁の一端に設けた小径孔１４を貫通して反射壁１１内に位置している。またその反射壁は押ボタン３側に形成され、比較的急しゆんな傾斜角を有する第１の反射面１５と、発光ダイオード７側に形成され比較的緩やかな傾斜角を有する第２の反射面１６とから構成され、第１図および第３図に示すように押ボタン３が第１の位置にあるとき発光ダイオード７からの光を主として第１の反射面１５で反射し、また第２図および第４図に示すように押ボタン３が第２の位置にあるとき発光ダイオード７からの光を主として第２の反射面１６で反射するようにされている。」（明細書第６ページ第１２行〜第７ページ第９行）
（オ）「なおカラープレート８に投射された光はすべてが直接押ボタン３側に透過されるのではなく、カラープレート８によつても反射され、さらに第２の反射面１６で反射され、その後第１の反射面１５で反射され、カラープレート８に投射されるものもある。この繰返し反射作用はカラープレート８と反射壁１１の反射率によつて異るが、平均３〜４回位繰返し、これによつてカラープレート８を通過する光線が増加するとともに、押ボタン３に照射される光線はより平均化される。」（明細書第８ページ第９行〜第１８行）
エ　引用文献７に記載された事項
　当審が新たに引用する文献である特開２００５−３４７０６７号公報（以下、「引用文献７」という。）には、図面とともに次の事項が記載されている。
（ア）「【００３１】
　
押釦部１２は、反射プランジャ１３と、拡散プレート１４と、彫刻プレート１５と、キャップ１６とで構成してある。
【００３２】
　
反射プランジャ１３は、円筒形状の嵌合部１９と、この嵌合部１９の端部に連なる漏斗状の反射部２０と、この反射部２０の端部に連なる円筒形状の保持部２１とで構成してあり
【００３３】
　そして、反射プランジャ１３の保持部２１には拡散プレート１４が載置され（溶着或いは接着等により固着する場合もある）、拡散プレート１４には彫刻プレート１５が着脱可能に嵌めてあり、さらには、彫刻プレート１５を覆うようにして保持部２１にはキャップ１６が被せてある。」
（３）対比・判断
ア　本願発明１について
（ア）対比
　本願発明１と引用発明とを対比する。
　引用発明の「透光性または半透光性を有する操作ヘッド３０」は、「透光性または半透光性を有する意匠部材」の限りにおいて、本願発明１と一致する。
　引用発明の「透光性を有するプッシュロッド２０」は、「操作ヘッド３０と組み立てられ」ることで、操作ヘッド３０に対する操作に応じて動作するものであるから、「前記意匠部材の裏側に組み付けられて、前記意匠部材に対する操作に応じて動作する」限りにおいて、本願発明１の「透光性の操作部材」と一致する。
　引用発明の「光源１０」は、「光源」の限りにおいて、本願発明と一致する。
　引用発明の「プッシュロッド２０と一体的に形成され、光源１０から出射された光が通過する発散レンズ２２」は、発散レンズ２２が光源１０から操作ヘッド３０までの光路上に配置されることにより、光源１０から出射された光が発散レンズ２２を通過するものであるから、本願発明１の「前記操作部材と一体に設けられ、前記光源から前記意匠部材の裏側までの光路上に配置されたレンズ部」に相当する。
　引用発明の「テーパ面」は、「前記レンズ部から前記意匠部材に向けて広が」る限りにおいて、本願発明１の「テーパ面」と一致する。
　以上のことから、本件補正発明と引用発明との一致点及び相違点は、次のとおりである。
【一致点】
「透光性または半透光性を有する意匠部材と、
　前記意匠部材の裏側に組み付けられ、前記意匠部材に対する操作に応じて動作する透光性の操作部材と、
　光源と、
　前記操作部材と一体に設けられ、前記光源から前記意匠部材の裏側までの光路上に配置されたレンズ部と
　を備え、
　前記操作部材の内周面は、前記レンズ部から前記意匠部材に向けて広がるテーパ面である操作部構造。」
【相違点１】
　本願発明１では、「意匠部材」が「操作パネルの開口部から表側が外部に露出され」、「透光性の操作部材」が「前記操作パネルの内部に配置され」、「光源」が「前記操作パネルの内部に設けられた」ものであるのに対し、引用発明では、「操作パネル」が特定されていない点。
【相違点２】
　本願発明１では、「テーパ面」が、「前記レンズ部から前記意匠部材に向けて広がりながら前記意匠部材の裏側面に至る」のに対し、引用発明では、「テーパ面」が、「操作ヘッド３０」の裏側面に至っていない点。
【相違点３】
　本願発明１では、「テーパ面」が、「前記意匠部材の裏側面で反射されて戻ってきた光を、前記意匠部材の裏側面へ反射するように設けられている」のに対し、引用発明では、このような特定が無い点。
（イ）判断
　事案に鑑みて、まず相違点２について検討する。
　４．（２）イで示したとおり、引用文献２には、ボタン１は、プランジャ３を有し、プランジャ３は、角形状の枠体の内側面から中央部に向かってすり鉢状の傾斜面３ａが形成され、発光素子４ａからの光がプランジャ３の傾斜面３ａによって反射されることが記載されている。
　しかしながら、引用文献２に記載された技術的事項は、プランジャ３とボタン１との間に凹レンズ２が介在するものであって、本願発明１のような「レンズ部から意匠部材に向けて広がりながら意匠部材の裏側面に至るテーパ面」ではない。
　そうしてみると、発散レンズ２２から操作ヘッド３０に向けて広がるテーパ面を有する引用発明に対し、引用文献２に記載された技術的事項を採用する動機付けは、存在しないというべきである。
　よって、引用発明に対し、引用文献２に記載された技術的事項を採用し、上記相違点２に係る本願発明１の構成とすることは、当業者といえども容易に想到し得たものではない。
　してみると、相違点１及び３について論じるまでもなく、本願発明１は、引用発明及び引用文献２に記載された技術的事項に基いて、当業者が容易に発明をすることができたとはいえないものである。
（ウ）当審が新たに引用する引用文献について
　４．（２）ウで示したとおり、引用文献６には、押ボタン３にはラツパ状の反射壁１１がカラープレート８の周縁部と衝合するように嵌合され、反射壁は押ボタン３側に向つてしだいに広がるように摺り鉢状に形成され、発光ダイオード７はその反射壁の一端に設けた小径孔１４を貫通して反射壁１１内に位置していることが記載されている。
　そして技術常識を参酌すれば、引用文献６に記載された技術的事項において、発光ダイオード７は、光を適切な範囲に照射するために、レンズを有しているものと考えられるから、引用文献６に記載された事項は、レンズ側から押ボタン３のカラープレート８に向つてしだいに広がるようにカラープレート８の周縁部と衝合するラツパ状の反射壁１１であるといえる。
　しかしながら、引用文献６に記載された技術的事項の発光ダイオード７は、押ボタン３の反射壁との相対的な位置が、押ボタン３の第１の位置と第２の位置とで変化しても、安定した照光効果を得るものであるから、引用文献６に記載された技術的事項は、発光ダイオード７が有しているレンズと、押ボタン３の反射壁１１とは別体で構成される構成を前提としたものである。
　一方、引用発明は、発散レンズ２２はプッシュロッド２０と一体的に形成されるものであるから、引用発明と引用文献６に記載された技術的事項とは、前提とする構成が相違するものである。
　そうしてみると、発散レンズ２２がプッシュロッド２０と一体的に形成されている引用発明に対し、引用文献６に記載された技術的事項のように、発光ダイオード７が有しているレンズが押ボタン３の反射壁１１と別体で形成されていることを前提とする構成を採用する動機付けは、存在しないというべきである。
　また、４．（２）エで示したとおり、引用文献７には、押釦部１２は、反射プランジャ１３を備え、反射プランジャ１３は、円筒形状の嵌合部１９と、この嵌合部１９の端部に連なる漏斗状の反射部２０と、この反射部２０の端部に連なる円筒形状の保持部２１とで構成していることが記載されている。
　しかしながら、引用文献７に記載された技術的事項は、本願発明１の「レンズ部」に相当する構成を有していないから、本願発明１のような「レンズ部から意匠部材に向けて広がりながら意匠部材の裏側面に至るテーパ面」ではない。
　そうしてみると、発散レンズ２２から操作ヘッド３０に向けて広がるテーパ面を有する引用発明に対し、引用文献７に記載された技術的事項を採用する動機付けは、存在しないというべきである。
　よって、引用発明に対し、引用文献６及び７に記載された技術的事項を採用し、上記相違点２に係る本願発明１の構成とすることは、当業者といえども容易に想到し得たものではない。
　してみると、引用文献６及び７に記載された技術的事項を参酌しても、本願発明１は、引用発明並びに引用文献６及び７に記載された技術的事項に基いて、当業者が容易に発明をすることができたとはいえないものである。
イ　本願発明２〜９について
　本願発明２〜９は、本願発明１を引用するものであって、本願発明１の「前記レンズ部から前記意匠部材に向けて広がりながら前記意匠部材の裏側面に至るテーパ面」と同一の構成を備えるものであるから、本願発明１と同じ理由により、当業者であっても、引用発明及び引用文献２、６及び７に記載された技術的事項に基いて容易に発明できたものとはいえない。
５．小括
　以上のとおりであるから、本願発明１〜９は、特許法第２９条第２項の規定により特許を受けることができない発明ではなく、その他の拒絶理由も発見できないから、特許出願の際独立して特許を受けることができる発明であるので、特許法第１７条の２第６項で準用する同法第１２６条第７項の規定に適応する。
第４　原査定について
　本件補正により、本願発明１〜９は、「前記レンズ部から前記意匠部材に向けて広がりながら前記意匠部材の裏側面に至るテーパ面」という発明特定事項を備えるものとなっており、当業者であっても、拒絶査定において引用された引用発明及び引用文献２〜５に記載された技術的事項に基いて、容易に発明できたものとはいえない。
　したがって、原査定の理由を維持することはできない。
第５　むすび
　以上のとおり、原査定の理由によっては、本願を拒絶することはできない。
　また、他に本願を拒絶すべき理由を発見しない。
　よって、結論のとおり審決する。